(57)【要約】【課題】コンセントのない所でも飲料抽出ができる飲料抽出機を提供する。【解決手段】出湯口１５を有する容器２内の飲料水を加熱保温する加熱装置３と、容器２内の熱湯を、粉末飲料を密閉保存した飲料パック８に注入する第一のインジェクタ１３と、出湯口１５と第一のインジェクタ１３を連通する第一の抽出経路１６の途中に配され第一のインジェクタ１３に熱湯を送る熱湯圧送装置１７と、表示操作部２１と、電気的制御を行う制御装置２３と、駆動電源としての商用電源を使用する第一の電源装置３４と、本体１に内蔵された第二の電源装置３５とを備え、第一の電源装置３４と第二の電源装置３５のいずれかを選択的に使用することができるもので、電源コンセントのない所でも第二の電源装置３５によりコーヒー・紅茶・緑茶などの飲料抽出ができる。【選択図】図１
2008289528.tif 000002
【特許請求の範囲】
【請求項１】
飲料水を収容し底部に出湯口を有する容器と、前記容器内の飲料水を加熱保温する加熱装置と、前記容器の上部開放部を覆う蓋と、前記容器内の熱湯を、粉末飲料などを内部に密閉保存した飲料パックに注入する第一のインジェクタを有する注入部開封部と、前記出湯口と前記第一のインジェクタを連通する第一の抽出経路と、前記第一の抽出経路の途中に配され前記第一のインジェクタに熱湯を送る熱湯圧送装置と、前記飲料パック内に空気を圧送する空気圧送装置と、前記熱湯圧送装置と前記第一のインジェクタ間の前記第一の抽出経路の途中から分岐し前記空気圧送装置に連通する空気経路と、表示操作部と、電気的制御を行う制御装置と、駆動電源としての商用電源を使用する第一の電源装置と本体に内蔵された第二の電源装置とを備え、前記第一の電源装置と前記第二の電源装置のいずれかを選択的に使用することができる飲料抽出機。
【請求項２】
飲料水を収容し底部に出湯口を有する容器と、前記容器内の飲料水を加熱保温する加熱装置と、前記容器の上部開放部を覆う蓋と、前記容器内の熱湯を、粉末飲料などを内部に密閉保存した飲料パックに注入する第一のインジェクタを有する注入部開封部と、前記出湯口と前記第一のインジェクタを連通する第一の抽出経路と、前記第一の抽出経路の途中に配され前記第一のインジェクタに熱湯を送る熱湯圧送装置と、前記飲料パック内に空気を圧送する空気圧送装置と、前記熱湯圧送装置と前記第一のインジェクタ間の前記第一の抽出経路の途中から分岐し前記空気圧送装置に連通する空気経路と、前記第一の抽出経路の前記空気経路への分岐部と前記第一のインジェクタの間に配された経路切替装置と、コップ等に前記容器内の熱湯を吐出する第二のインジェクタと、前記経路切替装置と前記第二のインジェクタを連通する第二の抽出経路と、外部操作により前記経路切替装置の経路を切替える切替操作部と、表示操作部と、電気的制御を行う制御装置と、駆動電源としての商用電源を使用する第一の電源装置と本体に内蔵された第二の電源装置とを備え、前記第一の電源装置と前記第二の電源装置のいずれかを選択的に使用することができる飲料抽出機。
【請求項３】
第二の電源装置で、熱湯圧送装置と、空気圧送装置と、表示操作部のみを駆動する請求項１または２に記載の飲料抽出機。
【請求項４】
第二の電源装置で、熱湯圧送装置と、空気圧送装置のみを駆動する請求項１または２に記載の飲料抽出機。
【請求項５】
第二の電源装置で、熱湯圧送装置と、表示操作部のみを駆動する請求項１または２に記載の飲料抽出機。
【請求項６】
第二の電源装置で、熱湯圧送装置のみを駆動する請求項１または２に記載の飲料抽出機。
【請求項７】
第二の電源装置を、乾電池または二次電池または電気二重層コンデンサーのいずれかで形成した請求項１〜６のいずれか１項に記載の飲料抽出機。
【請求項８】
少なくとも、容器と蓋のいずれか一方に断熱材を使用した請求項１〜７のいずれか１項に記載の飲料抽出機。
【発明の詳細な説明】
【技術分野】
【０００１】
本発明は、コーヒー、紅茶、ココアなどの飲料を一杯づつ密封した飲料パックによりいつでも新鮮でおいしい飲料が手軽に飲める飲料抽出機に関するものである。
【背景技術】
【０００２】
従来、この種の飲料抽出機は、駆動のための電源装置として、商用電源を使用するのが一般的な構成となっている（例えば、特許文献１参照）。
【特許文献１】特開２００１−０７０１６５号公報
【発明の開示】
【発明が解決しようとする課題】
【０００３】
しかしながら、上記従来の飲料抽出機の構成では、例えば、来客時などに、場所を移動して飲料抽出機を使用するときは、電源コンセントのある場所での使用に限られてしまうという課題を有していた。
【０００４】
本発明は、上記従来の課題を解決するもので、来客時など場所を移動して使用する際、電源コンセントの無い所でも飲料抽出ができる使い勝手のよい飲料抽出機を提供することを目的とする。
【課題を解決するための手段】
【０００５】
従来の課題を解決するために、本発明の飲料抽出機は、飲料水を収容し底部に出湯口を有する容器と、前記容器内の飲料水を加熱保温する加熱装置と、前記容器の上部開放部を覆う蓋と、前記容器内の熱湯を、粉末飲料などを内部に密閉保存した飲料パックに注入する第一のインジェクタを有する注入部開封部と、前記出湯口と前記第一のインジェクタを連通する第一の抽出経路と、前記第一の抽出経路の途中に配され前記第一のインジェクタに熱湯を送る熱湯圧送装置と、前記飲料パック内に空気を圧送する空気圧送装置と、前記熱湯圧送装置と前記第一のインジェクタ間の前記第一の抽出経路の途中から分岐し前記空気圧送装置に連通する空気経路と、表示操作部と、電気的制御を行う制御装置と、駆動電源としての商用電源を使用する第一の電源装置と本体に内蔵された第二の電源装置とを備え、前記第一の電源装置と前記第二の電源装置のいずれかを選択的に使用することができるもので、来客時など場所を移動しての使用時などでも第二の電源装置により、商用電源を使用せずにコーヒー・紅茶・緑茶などの飲料抽出ができるものである。
【０００６】
また、本発明の飲料抽出機は、飲料水を収容し底部に出湯口を有する容器と、前記容器内の飲料水を加熱保温する加熱装置と、前記容器の上部開放部を覆う蓋と、前記容器内の熱湯を、粉末飲料などを内部に密閉保存した飲料パックに注入する第一のインジェクタを有する注入部開封部と、前記出湯口と前記第一のインジェクタを連通する第一の抽出経路と、前記第一の抽出経路の途中に配され前記第一のインジェクタに熱湯を送る熱湯圧送装置と、前記飲料パック内に空気を圧送する空気圧送装置と、前記熱湯圧送装置と前記第一のインジェクタ間の前記第一の抽出経路の途中から分岐し前記空気圧送装置に連通する空気経路と、前記第一の抽出経路の前記空気経路への分岐部と前記第一のインジェクタの間に配された経路切替装置と、コップ等に前記容器内の熱湯を吐出する第二のインジェクタと、前記経路切替装置と前記第二のインジェクタを連通する第二の抽出経路と、外部操作により前記経路切替装置の経路を切替える切替操作部と、表示操作部と、電気的制御を行う制御装置と、駆動電源としての商用電源を使用する第一の電源装置と本体に内蔵された第二の電源装置とを備え、前記第一の電源装置と前記第二の電源装置のいずれかを選択的に使用することができるもので、来客時など場所を移動しての使用時などでも第二の電源装置により商用電源を使用せずに、抽出時の経路切替装置の駆動を外部操作により切り替えることにより、粉末クリームを泡立てて上に乗せたカプチーノなどの飲料抽出が手軽にできるものである。
【発明の効果】
【０００７】
本発明の飲料抽出機は、来客時など場所を移動して使用する時などに、第一の電源装置用の商用電源のコンセントがなくても、本体に内蔵された第二の電源装置を使用することにより、コーヒー・紅茶・緑茶などの飲料パックの飲料を抽出することが手軽にできる。
【発明を実施するための最良の形態】
【０００８】
第１の発明は、飲料水を収容し底部に出湯口を有する容器と、前記容器内の飲料水を加熱保温する加熱装置と、前記容器の上部開放部を覆う蓋と、前記容器内の熱湯を、粉末飲料などを内部に密閉保存した飲料パックに注入する第一のインジェクタを有する注入部開封部と、前記出湯口と前記第一のインジェクタを連通する第一の抽出経路と、前記第一の抽出経路の途中に配され前記第一のインジェクタに熱湯を送る熱湯圧送装置と、前記飲料パック内に空気を圧送する空気圧送装置と、前記熱湯圧送装置と前記第一のインジェクタ間の前記第一の抽出経路の途中から分岐し前記空気圧送装置に連通する空気経路と、表示操作部と、電気的制御を行う制御装置と、駆動電源としての商用電源を使用する第一の電源装置と本体に内蔵された第二の電源装置とを備え、前記第一の電源装置と前記第二の電源装置のいずれかを選択的に使用することができるもので、来客時など場所を移動しての使用時などでも第二の電源装置により商用電源を使用せずにコーヒー・紅茶・緑茶などの飲料抽出ができるものである。
【０００９】
第２の発明は、飲料水を収容し底部に出湯口を有する容器と、前記容器内の飲料水を加熱保温する加熱装置と、前記容器の上部開放部を覆う蓋と、前記容器内の熱湯を、粉末飲料などを内部に密閉保存した飲料パックに注入する第一のインジェクタを有する注入部開封部と、前記出湯口と前記第一のインジェクタを連通する第一の抽出経路と、前記第一の抽出経路の途中に配され前記第一のインジェクタに熱湯を送る熱湯圧送装置と、前記飲料パック内に空気を圧送する空気圧送装置と、前記熱湯圧送装置と前記第一のインジェクタ間の前記第一の抽出経路の途中から分岐し前記空気圧送装置に連通する空気経路と、前記第一の抽出経路の前記空気経路への分岐部と前記第一のインジェクタの間に配された経路切替装置と、コップ等に前記容器内の熱湯を吐出する第二のインジェクタと、前記経路切替装置と前記第二のインジェクタを連通する第二の抽出経路と、外部操作により前記経路切替装置の経路を切替える切替操作部と、表示操作部と、電気的制御を行う制御装置と、駆動電源としての商用電源を使用する第一の電源装置と本体に内蔵された第二の電源装置とを備え、前記第一の電源装置と前記第二の電源装置のいずれかを選択的に使用することができるもので、来客時など場所を移動しての使用時などでも第二の電源装置により商用電源を使用せずに、抽出時の経路切替装置の駆動を外部操作により切り替えることにより、粉末クリームを泡立てて上に乗せたカプチーノなどの飲料抽出が手軽にできるものである。
【００１０】
第３の発明は、特に、第１又は第２の発明の第二の電源装置で、熱湯圧送装置と、空気圧送装置と、表示操作部のみを駆動するもので、第１、第２の発明による効果に加え、第二の電源装置の消費を抑えることができるものである。
【００１１】
第４の発明は、特に、第１又は第２の発明の第二の電源装置で、熱湯圧送装置と、空気圧送装置のみを駆動するもので、第１、第２の発明による効果に加え、本体内蔵の第二の電源装置の消費をさらに抑えることができるものである。
【００１２】
第５の発明は、特に、第１又は第２の発明の第二の電源装置で、熱湯圧送装置と、表示操作部のみを駆動するもので、第１、第２の発明による効果に加え、本体内蔵の第二の電源装置の消費をさらに抑えることができるものである。
【００１３】
第６の発明は、特に、第１又は第２の発明の第二の電源装置で、熱湯圧送装置のみを駆動するもので、第１、第２の発明による効果に加え、本体内蔵の第二の電源装置の消費をさらに抑えることができるものである。
【００１４】
第７の発明は、特に、第１〜６のいずれか一つの発明の第二の電源装置を、乾電池または二次電池または電気二重層コンデンサーのいずれかで形成したもので、第１〜６の発明の効果に加え、電源装置が比較的シンプルでしかも比較的安価に実現できるものである。
【００１５】
第８の発明は、特に、第１〜７のいずれか一つの発明の飲料抽出機において、少なくとも、容器と蓋のいずれか一方に断熱材を使用したもので、第１〜６の発明の効果に加え、断熱構造により容器内の湯温低下を大きく抑えることができるので、商用電源がない状態でもしばらくは容器内の湯温が高温で維持でき、温度が高く美味しい飲料が味わえるものである。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における飲料抽出機の全体構成図、図２は、同飲料抽出機の部分断面図である。
【００１８】
図１、２において、本実施の形態における飲料抽出機は、本体１と、本体１内に収納され飲料水を収納する容器２と、容器２の底面に配され容器２内の飲料水を加熱保温する加熱装置３と、容器２の上部開放部を液密に覆い蒸気通路４を有する蓋５と、前面部を開放し、粉末飲料などを内部に密閉保存した飲料パック８を固定する固定部９を有するパック収納部１０と、パック収納部１０の前面の開放部１０ａを覆うと共に、下方の水平方向に回転軸１１を有し、その回転軸１１が本体１に回動自在に軸支され外部操作で開閉するパックドアー１２と、容器２内の熱湯を飲料パック８内に吐出する第一のインジェクタ１３を有する注入部開封装置１４と、容器２の底面に設けた出湯口１５と注入部開封装置１４の第一のインジェクタ１３を連通する第一の抽出経路１６と、第一の抽出経路１６の途中に配され容器２内の熱湯を第一のインジェクタ１３に送る熱湯圧送装置１７と、熱湯圧送装置１７と第一のインジェクタ１３の間の第一の抽出経路１６の途中から分岐した空気経路１８の一端に接続された空気圧送装置１９と、パックドアー１２の開閉動作に連動させて、飲料パック８を開封する注入部開封装置１４を動作させる開封連動装置２０と、本体１の上面の前部に配した表示操作部２１と、容器２の底に設けた加熱装置３の中央部に配された温度センサー２２と、飲料パック有無検知装置（図示せず）と、ドアー閉検知装置（図示せず）と、表示操作部２１、飲料パック有無検知装置、ドアー閉検知装置、温度センサー２２等からの信号により加熱装置３、空気圧送装置１９、熱湯圧送装置１７の電気的制御を行う制御装置２３と、抽出飲料を受けるコップ２４を置くカップスタンド２５と、こぼれた飲料を受けると共に、本体１から着脱可能なトレイ２６とを備えている。
【００１９】
飲料パック８は、注入部６と抽出部７を備えている。
【００２０】
パックドアー１２の回転軸１１部周辺には第一のリンク腕２７を一体形成している。
【００２１】
注入部開封装置１４は、第一のインジェクタ１３を一体成形した第一のリンク２８と、カム２９と第二のリンク腕３０を一体形成したカム機構３１が回動自在に本体１に軸支され、第一のリンク２８とカム２９との接触部の第一のリンク２８上端にローラー３２を回動自在に装着し、第一のリンク２８は、上方にばね（図示せず）により付勢された状態で、上下方向にスライドするように本体１に支持され、第一のリンク腕２７の先端の回転軸２７ａとカム機構３１の第二のリンク腕３０の先端の回転軸３０ａとを、開封連動装置２０の第二のリンク３３で連結した構成としている。
【００２２】
また、制御装置２３の駆動電源として、家庭用コンセントなどの商用電源からの第一の電源装置３４と、本体１に内蔵され、乾電池または二次電池または電気二重層コンデンサーなどからなる第二の電源装置３５が設けられ、本実施の形態では、第二の電源装置３５の駆動時は、少なくとも加熱装置３を駆動しないようにしている。そして、第一の電源装置３４と第二の電源装置３５を使用シーンに応じ選択的に使用できる構成としている。
【００２３】
以上のように構成された本実施の形態における飲料抽出機について、以下にその動作、作用を説明する。
【００２４】
容器２内に飲料水をいれ加熱装置３により湯沸しし、温度センサー２２により検知した温度により制御装置２３により、飲料水が所定の温度で保温される。
【００２５】
パックドアー１２を外部操作により開き、飲料パック８をパック収納部１０の所定位置にセット固定する。
【００２６】
パックドアー１２を閉じると、その動作が、パックドアー１２に形成された第一のリンク腕２７から開封連動装置２０の第二のリンク３３を介し、カム機構３１の第二のリンク腕３０からカム２９を介し、第一のリンク２８のローラー３２から第一のリンク２８に伝達され、第一のインジェクタ１３が下方に移動し第一のインジェクタ１３の先端部が飲料パック８の注入部６を突き刺し開封する。
【００２７】
その後、熱湯圧送装置１７が駆動し、あらかじめ決められたプログラムにより熱湯を飲料パック８に送り飲料パック８の抽出部７を熱湯で開封し、さらに内部のコーヒーや紅茶などの飲料を抽出し、次に、空気圧送装置１９を駆動し飲料パック８内の残り飲料を空気でコップ２４に排出し、飲料パック８を火傷の心配なく、取り出せる構成としている。
【００２８】
近くに電源コンセントなどが無く、商用電源の第一の電源装置３４から電源が供給できない場合は、図２（ｂ）に示すように、第二の電源装置３５からの電源供給により飲料抽出を行う構成としている。
【００２９】
本実施の形態における飲料抽出機は、以上のように構成されているので、例えば、商用電源の第一の電源装置３４から電源が供給できない場合、本体１に内蔵された第二の電源装置３５から電源を供給することにより、商用電源のコンセントがないところでも、飲料抽出を行うことができる飲料抽出機を提供することができるものである。
【００３０】
また、第二の電源装置３５として、乾電池または二次電池または電気二重層コンデンサーのいずれかを使用しているので、第二の電源装置３５が比較的にシンプルで、しかも安価に形成できるものである。
【００３１】
（実施の形態２）
図３は、本発明の第２の実施の形態における飲料抽出機の全体構成図である。尚、上記第１の実施の形態における飲料抽出機と同一部分については、同一符号を付して、その説明を省略する。
【００３２】
本実施の形態は、第一の抽出経路１６の熱湯圧送装置１７と第一のインジェクタ１３の間に配された経路切替装置３６と、コップ１４等に容器２内の熱湯を吐出する第二のインジェクタ３７と、経路切替装置３６と第二のインジェクタ３７を連通する第二の抽出経路３８と、経路切替装置３６の経路を使用者の外部操作により切替える切替操作部３９とを備え、外部操作により経路切替装置３６の経路を切替えるようにしたもので、他の構成は、上記第１の実施の形態における飲料抽出機と同じである。
【００３３】
以上のように構成された本実施の形態における飲料抽出機について、以下にその動作、作用を説明する。
【００３４】
特に、上記第１の実施の形態と異なる点について以下に述べる。
【００３５】
例えば、粉末クリームを泡立ててコーヒーなどの上にのせて飲むカプチーノ（２種類の飲料パック、つまり、クリーム用パックとコーヒーパックを使用し飲料を抽出する）を、第二の電源装置３５を用いて作る場合を以下に述べる。
【００３６】
まず、クリーム用パックで、第一のインジェクタ１３にお湯を送り飲料パック８を開封しさらにお湯とクリーム粉末とを混合してクリーム液を作る。
【００３７】
次に、切替操作部３９を、外部から操作し、経路切替装置３６の経路を切替え、先端の開口面積が第一のインジェクタ１３のそれより小さい第二のインジェクタ３７側に切替えて、熱湯を勢いよく、コップ２４内のクリーム粉末をお湯で溶かしたクリーム液に吐出し泡立てを行う。
【００３８】
次に、切替操作部３９を外部から操作して、熱湯の流れる経路を第一のインジェクタ１３側に切替え、パックドアー１２を開き、次のコーヒーパックをセットし第一のインジェクタ１３でコーヒーの抽出を行うことで、泡立てクリームを上にのせたコーヒー（カプチーノ）を作ることができるようにしたものである。
【００３９】
本実施の形態における飲料抽出機は、以上のように構成されているので、実施の形態１の効果に加え、経路切替装置３６の切替を外部操作により使用者が切り替える構成としているため、例えば、ソレノイド駆動式の経路切替装置などの電気的駆動方式で構成したものではソレノイドを駆動させるために第二の電源装置３５の電気エネルギーを短時間に消費してしまうため飲料抽出ができなくなってしまうが、消費電気エネルギーの多い経路切替装置３６の経路切替を外部操作による切替構成としているため第二の電源装置３５の電気エネルギーを消費せずに経路切替ができるため、カプチーノなどの飲料が抽出できるものである。
【００４０】
なお、本体１内蔵の第二の電源装置３５で駆動する時は、熱湯圧送装置１７と、空気圧送装置１９と、表示操作部２１のみを駆動するようにすれば、第二の電源装置３５の電気エネルギーの消費を抑えることができ、飲料抽出回数を増やすことができるものである。
【００４１】
また、第二の電源装置３５で、熱湯圧送装置１７と空気圧送装置１９のみを駆動するようにすれば、表示操作部２１を駆動させない分、第二の電源装置３５の電気エネルギー消費をさらに抑えることができるものである。
【００４２】
あるいは、第二の電源装置３５で、熱湯圧送装置１７と、表示操作部２１のみを駆動するようにすれば、熱湯圧送装置１７と空気圧送装置１９のみを駆動する場合と較べ、空気圧送装置１９より電気の消費エネルギーの少ない表示操作部２１の駆動に置き換えているため、第二の電源装置３５の電気エネルギーの消費をさらに抑えることができるものである。
【００４３】
また、第二の電源装置３５で、熱湯圧送装置１７のみを駆動するようにすれば、熱湯圧送装置１７と表示操作部２１のみを駆動する場合に較べ、第二の電源装置３５の電気エネルギーの消費をさらに抑えることができるものである。
【００４４】
（実施の形態３）
図４は、本発明の第３の実施の形態における飲料抽出機の全体構成図である。尚、上記実施の形態における飲料抽出機と同一部分については、同一符号を付して、その説明を省略する。
【００４５】
本実施の形態は、図４に示すように、容器２の側面を第一の断熱材４０で覆い、蓋５に第二の断熱材４１を内蔵したもので、他の構成は、上記第一の実施の形態における飲料抽出機と同一である。
【００４６】
以上のように、本実施の形態によれば、第一の断熱材４０、第二の断熱材４１により、容器２内の湯温低下を大きく抑えることができるので、商用電源がない状態、つまり加熱装置３が駆動していない状態でもしばらくは容器２内の湯温が高温で維持でき、温度が高く美味しい飲料が味わえるものである。
【００４７】
また、図５に示すように、上記第２の実施の形態における飲料抽出機に、第一の断熱材４０と第二の断熱材４１を用いてもよい。
【００４８】
尚、図４、５に示す例では、第一の断熱材４０と第二の断熱材４１の両方を用いたが、いずれか一方のみを使用してもよい。その場合は、第一の断熱材４０と第二の断熱材４１の両方を用いた場合に比べ、断熱性能が多少低下するが、いずれも使用していない場合に較べ、断熱性に優れているので、容器２内の湯温低下を大きく抑えられることはいうまでもない。
【産業上の利用可能性】
【００４９】
本発明の飲料抽出機は、商用電源がなくても動作可能となるので、民生用、業務用の飲料抽出機に適用できる。
【図面の簡単な説明】
【００５０】
【図１】本発明の実施の形態１における飲料抽出機の全体構成図
【図２】（ａ）同飲料抽出機の部分断面図（第一の電源装置使用時）（ｂ）同飲料抽出機の部分断面図（第二の電源装置使用時）
【図３】本発明の実施の形態２における飲料抽出機の全体構成図
【図４】本発明の実施の形態３における飲料抽出機の全体構成図
【図５】同実施の形態における他の例を示す飲料抽出機の全体構成図
【符号の説明】
【００５１】
２  容器
３  加熱装置
５  蓋
８  飲料パック
１３  第一のインジェクタ
１４  注入部開封装置
１５  出湯口
１６  第一の抽出経路
１７  熱湯圧送装置
１８  空気経路
１９  空気圧送装置
２１  表示操作部
２３  制御装置
３４  第一の電源装置
３５  第二の電源装置
３６  経路切替装置
３７  第二のインジェクタ
３８  第二の抽出経路
３９  切替操作部
４０  第一の断熱材（断熱材）
４１  第二の断熱材（断熱材）
【図１】
2008289528.tif 000003
【図２】
2008289528.tif 000004
【図３】
2008289528.tif 000005
【図４】
2008289528.tif 000006
【図５】
2008289528.tif 000007